(57)【要約】  本発明は、カード用のカード接点投入装置に関し、このカード接点投入装置は側縁を持つ平型の接点担持部支持体を有し、また柔軟接点担持部も有し、接点担持部支持体はいくつかの保持手段を形成し、これは接点担持部の凹部を通って延びることによって、柔軟接点担持部を接点担持部支持体と機械的に接続する。
2015535109.tif 000002
【特許請求の範囲】
【請求項１】
カード（１００）のためのカード接点投入装置（１）であって、
前記カード接点投入装置（１）は、測縁（２０、２１）を有する平型の接点担持部支持体（２）と、柔軟接点担持部（３）も有し、前記接点担持部支持体（２）は複数の保持手段（４ａ、４ｂ）を形成し、これが前記接点担持部の凹部（３０、３１）を通って突出することにより、前記柔軟接点担持部（３）を前記接点担持部支持体（２）に機械的に接続するカード接点投入装置（１）。
【請求項２】
請求項１に記載のカード接点投入装置（１）において、
前記保持手段（４ａ、４ｂ）はフック状の保持手段の形態であり、保持部分（４１）と固定部分（４０）を有し、その固定部分により、前記保持手段（４ａ、４ｂ）が前記接点担持部支持体に接続され、前記保持手段が折り曲げられることによって、仮組立位置から本組立位置へと移動できることを特徴とするカード接点投入装置（１）。
【請求項３】
請求項１または２に記載のカード接点投入装置（１）において、
前記保持部分（４１）が前記仮組立位置において前記接点担持部支持体（２）の側面（２８、２９）から突出して、前記本組立位置において前記側面（２８、２９）に平行に延びてギャップ幅（Ｄ）のギャップを形成することを特徴とするカード接点投入装置（１）
【請求項４】
請求項１〜３いずれか一項に記載のカード接点投入装置（１）において、
前記ギャップ幅（Ｄ）が前記柔軟接点担持部（３）の厚さに略対応することを特徴とするカード接点投入装置（１）。
【請求項５】
請求項１〜４のいずれか一項に記載のカード接点投入装置（１）において、
一端に固定部分（３２）を有する前記接点担持部（３）が前記接点担持部支持体（２）の側縁（２０）の周囲で折り曲げられることを特徴とするカード接点投入装置（１）。
【請求項６】
請求項１〜５のいずれか一項に記載のカード接点投入装置（１）において、
前記柔軟接点担持部（３）が、カード（１００）と接触状態を確立するための複数の接触点（３３）を持つ接点投入部分（３５）を有することを特徴とするカード接点投入装置（１）。
【請求項７】
請求項６に記載のカード接点投入装置（１）において、
前記固定部分（３２）が少なくとも１つの保持手段（４）のための少なくとも１つの凹部（３０）を有することを特徴とするカード接点投入装置（１）。
【請求項８】
請求項７に記載のカード接点投入装置（１）において、
前記第二の固定部分（３７）が少なくとも１つの別の保持手段（４ｂ）のための少なくとも１つの別の凹部（３１）を有することを特徴とするカード接点投入装置（１）。
【請求項９】
請求項８に記載のカード接点投入装置（１）において、
カード（１００）と接触状態を確立するための複数の接触点（３３）を持つ接点投入部分（３５）が一端の前記固定部分（３２）と第二の固定部分（３７）との間に形成されることを特徴とするカード接点投入装置（１）。
【請求項１０】
請求項２〜９のいずれか一項に記載のカード接点投入装置（１）において、
前記フック状の保持部分（４１）が前記接点担持部支持体（２）の前記側縁（２０）から、前記凹部（３０、３１）を通って、特に好ましくは前記側縁（２０）に垂直に、実質的に反対の前記側縁（２１）の方向へと延びることを特徴とするカード接点投入装置（１）。
【請求項１１】
請求項１〜１０のいずれか一項に記載のカード接点投入装置（１）において、
前記接点担持部支持体（２）が、スプリングドーム（２３）を持つ複数のスプリングアーム（２２）を形成し、前記スプリングアーム（２２）がそのスプリングドーム（２３）によって前記接点担持部支持体（２）から少なくとも部分的に突出することを特徴とするカード接点投入装置（１）。
【請求項１２】
請求項１１に記載のカード接点投入装置（１）において、
前記スプリングドーム（２３）が、前記接点担持部支持体（２）の、前記固定部分（３２）のための前記保持手段（４ａ）を有する前記側面と反対にある前記側面（２９）上で突出することを特徴とするカード接点投入装置（１）。
【請求項１３】
請求項１１または１２に記載のカード接点投入装置（１）において、
前記スプリングドーム（２３）が前記柔軟接点担持部（３）の裏面層に、前記柔軟接点担持部（３）の前記接触点（３３）の位置に対応する方法で配置されることを特徴とするカード接点投入装置（１）。
【請求項１４】
請求項１〜１３のいずれか一項に記載のカード接点投入装置（１）において、
前記柔軟接点担持部（３）が複数の導体トラック（３４）を有することを特徴とするカード接点投入装置（１）。
【請求項１５】
請求項１〜１４のいずれか一項に記載のカード接点投入装置（１）において、
前記カード接点投入装置（１）が、カードを挿入し、排出させるために出入りするように移動可能な作動装置（５１）を持つプッシュ−プッシュ機構（５０）を有することを特徴とするカード接点投入装置（１）。
【請求項１６】
請求項１５に記載のカード接点投入装置（１）において、
出入りするように移動可能な前記作動装置（５１）にカードストッパ（５２）が設けられ、これが前記柔軟接点担持部（３）の上方の領域へと少なくとも部分的に延びることを特徴とするカード接点投入装置（１）。
【請求項１７】
請求項１〜１６のいずれか一項に記載のカード接点投入装置（１）において、
前記接点投入装置がナノＳＩＭプッシュ−プッシュ式カードリーダであることを特徴とするカード接点投入装置（１）。
【請求項１８】
カード（１００）のためのカード接点投入装置（１）の製造方法において、
ａ）側縁（２０、２１）を有する平型の接点担持部支持体（２）であって、複数の保持手段（４ａ、４ｂ）を有する接点担持部支持体（２）を提供するステップと、
ｂ）柔軟接点担持部（３）であって、第一と第二の固定部分（３２、３７）を有し、各々に前記接点担持部内の凹部（３０、３１）が設けられる柔軟接点担持部（３）を提供するステップと、
ｃ）前記柔軟接点担持部（３）を、その第一の固定部分（３２）の前記凹部（３０）によって、前記接点担持部支持体（２）の前記保持手段（４ａ）においてぶら下がった状態にするステップと、
ｄ）前記保持手段（４ａ）を折り曲げるステップと、
ｅ）前記柔軟接点担持部（３）を、前記接点担持部支持体（２）の側縁（２０）の周囲で折り曲げて、前記側縁が前記接点担持部持体（２）の側面の上に当接するようにするステップと、
ｆ）前記柔軟接点担持部（３）を、その第二の固定部分（３７）のその凹部（３１）によって、前記接点担持部支持体（２）の前記保持手段（４ｂ）からぶら下がった状態にするステップと、
ｇ）前記保持手段（４ｂ）を折り曲げるステップと、
を含む方法。
【発明の詳細な説明】
【技術分野】
【０００１】
本発明は、特許請求項１において請求されるカード接点投入装置に関し、また、請求項１８において請求されるカード接点投入装置の製造方法にも関する。
【背景技術】
【０００２】
先行技術において、対応するカードとの接触状態を確立するためのカード接点投入装置を含むカード読取装置を使って、カード、例えばＳＩＭカード、メモリカード、マイクロＳＤカードおよびその他のカードとの接点投入を行っている。
【０００３】
カード接点投入装置の物理的な大きさ、特に厚さの縮小に対する要求がますます高まっている。
【０００４】
したがって、先行技術はカードを薄型化するための様々な方策を含んでいる。例えば、可動式のカバーを有するＳＩＭカード接点投入装置の場合、接点投入装置の支承点が例えば、接点担持部の側面に取り付けられ、挿入されたカードが接点担持部の上面にある制御機構によって予備組立位置から最終組立位置へと移動されるようになっている。このようにして、対応する接点担持部も薄型化できた。
【０００５】
先行技術において知られている他の方策は例えば、使用する材料自体の厚さを薄くすることである。したがって、例えば読取接点を有する接点担持部を最低限の高さまで薄くすることが可能である。これに関する１つの問題は、材料の厚さが薄くなるにつれて、接点担持部の安定性がその用途の大多数における使用に適さなくなることである。読取接点の同一平面性に伴う別の問題も発生する。接点担持部の読取接点の接続端は理想的には、同一平面内にあり、プリント回路基板上へのはんだ付け工程が高い信頼性で実行できるようにしなければならない。
【０００６】
これは、接点担持部が不安定であれば、必然的に問題となる。
【発明の概要】
【発明が解決しようとする課題】
【０００７】
したがって、本発明の１つの目的は、カードとの信頼性の高い接触状態を確立でき、物理的高さが極小化された薄型のカード接点投入装置を提供することである。
【０００８】
本発明の他の目的は、プリント回路基板とカード接点投入装置の読取接点との間の接続方法を提供することであり、この接続方法は信頼性が高く、再現可能である。
【０００９】
この目的は、特許請求項１において請求されるカード接点投入装置によって、また請求項１８において請求される本発明によるカード接点投入装置の製造方法によって達成される。
【００１０】
本発明による接点投入装置の他の具体的な実施形態は、特許請求の範囲の従属項と、後述のような図面および例示的な実施形態の説明の中に記載されている。
【００１１】
本発明の他の目的は、プッシュ−プッシュ機構を有し、カードを、１回目に押すことによりカード接点投入装置に挿入でき、２回目に押すこと（カードに圧力を加えること）によりカード接点投入装置から再び排出させることができるようなカード接点投入装置を提供することである。
【課題を解決するための手段】
【００１２】
本発明の基本的な考えは、カード用のカード接点投入装置を提供し、このカード接点投入装置が、好ましくは金属で形成された好ましくは平型の接点担持部支持体を有し、また柔軟接点担持部も有し、接点担持部支持体が複数の保持手段を形成して、これが接点担持部の凹部を通って突出することにより、柔軟接点担持部を接点担持部支持体に機械的に接続する、というものである。
【００１３】
この種の実施形態により、従来の接点担持部をなくすことができ、それに加えて、読取接点としての従来のスプリングアームも不要となり、その代わりに柔軟接点担持部が導体トラックと読取接点の両方を提供する。
【００１４】
カードの接触パッドと直接接触状態を確立できる複数の接触点が好ましくは、撓み性接点担持部の表面の接点投入領域に形成される。
【００１５】
さらに、本発明による接点投入装置は接点担持部支持体を有し、これは柔軟接点担持部を機械的に保持する。そのために、接点担持部支持体は保持手段、好ましくはフック状の保持手段を提供し、これは保持部分と固定部分を有する。固定部分は保持部分を接点担持部支持体に接続し、保持手段を、その保持部分により固定手段の周囲で折り曲げることが可能である。
【００１６】
本発明によれば、柔軟接点担持部は対応する凹部、具体的には接点担持部の凹部を有し、その中に、好ましくはフック状の保持手段を通してから折り曲げることができるため、柔軟接点担持部と接点担持部支持体との間の機械的な接続を所定の位置で実現できる。
【００１７】
これに関して、保持部分と固定部分を有するフック状の保持手段の形態の保持手段を有するカード接点投装置が提供され、その保持手段は接点担持部支持体に接続され、前記保持手段は、折り曲げることによって仮組立位置から本組立位置へと移動させることができる。
【００１８】
カード接点投入装置の保持部分は、有利には、仮組立位置において、接点担持部支持体の一方の側面から、または両方の側面から突出し、本組立位置においては、対応する側面に平行に折り曲げられ、ギャップが形成される。ギャップ幅が柔軟接点担持部の厚さに略対応していれば、固定部分と接点担持部支持体の側面との間に収容できる。
【００１９】
好ましい実施形態において、柔軟接点担持部は一端に固定部分を有するように設計され、一端のこの固定部分は接点担持部支持体の側縁の周囲で折り曲げられる。
【００２０】
これによって２つの利点が得られる。第一に、その結果として接点担持部支持体と柔軟接点担持部との間の特に良好な機械的接続を実現でき、さらに、この種のカード接点投入装置の製造を、接点担持部支持体の側縁上の位置に関して、再現可能に画定できるという利点が提供される。接点担持部支持体が、有利な態様において、スタンピング加工された金属部品の形態であるため、側端と、そこから離して配置される保持手段の位置を特に正確に画定できる。したがって、製造工程について、高い生産精度が実現される。
【００２１】
柔軟接点担持部は好ましくは、カードとの接触状態を確立するための複数の接触点を有する接点投入部分を有する。さらに、一端の固定部分は保持手段のうちの少なくとも１つまたは複数のための少なくとも１つの凹部、好ましくは複数の凹部を有し、これらは相互に隣り合わせに配置される。
【００２２】
さらに、有利には、少なくとも１つまたは複数の別の保持手段のための少なくとも１つまたは複数の別の凹部を有する第二の固定部分が柔軟接点担持部上に設けられる。前記別の保持手段は、有利には、接点担持部支持体の反対の側面に配置される。
【００２３】
特に好ましい実施形態において、接点投入部分は一端の固定部分と第二の固定部分との間に位置付けられる。その結果、接点投入部分を高い信頼性で位置決めすることができ、隣接する固定部分により、およびそれにそれぞれ隣接する固定部分により、柔軟接点担持部が確実に特に十分に保持される。
【００２４】
フック状の保持部分は、その折り曲げられた状態において、好ましくは接点担持部支持体の側縁から凹部を通って一方向に、具体的には、好ましくはその側縁に垂直に、反対の側縁の方向へと延びる。
【００２５】
さらに、接点担持部支持体は好ましくは、スプリングドーム付の複数のスプリングアームを有する。この場合、スプリングアームはそのスプリングドームによって接点担持部支持体の側面から少なくとも部分的に突出する。
【００２６】
スプリングドームは、有利には、接点担持部支持体の、柔軟接点担持部の固定部分のための保持手段を有する側面と反対側にある側面上で突出する。
【００２７】
スプリングドームは、有利には、好ましくは柔軟接点担持部の裏面上に、前記柔軟接点担持部の接触点の位置に対応するように直接配置される。その結果、接点担持部支持体の側面から突出するスプリングドームは、いわば裏から柔軟接点担持部を圧迫し、それによって接点担持部の接触点がスプリングコンタクトのように動作する。
【００２８】
カードが、その接触領域によってカード接点投入装置、具体的には接点投入部分に押し付けられると、接点がカードの接点とスプリング動作で接触し、スプリングアームがそのスプリングドームにより、スプリング動作で裏から柔軟なプリント回路基板を圧迫する。
【００２９】
さらに、柔軟接点担持部は有利には、複数の導体トラックを有する。導体トラックは、第一に、上位の構成要素、例えば携帯電話や携帯端末内の主プリント回路等による接触状態が確立されるようにする役割を果たし、第二に、柔軟接点担持部内に配置された接触点または切換え要素との接触状態を確立する役割を果たす。
【００３０】
特に有利な実施形態において、柔軟接点担持部は平型のプラグコネクタを有し、これは他の構成要素の対応するプラグ受容部の中に直接差し込むことができる。
【００３１】
さらに、本発明によれば、プッシュ−プッシュ機構、すなわち、カードを挿入し、排出させるために出入りするように移動可能な作動装置を備えるカード接点投入装置が提供される。
【００３２】
出入りするように移動可能な作動装置は、有利には、カードストッパを有し、これは柔軟接点担持部の上方の領域内へと少なくとも部分的に延びる。
【００３３】
特に有利な実施形態においては、ナノＳＩＭプッシュ−プッシュ式カードリーダが提供される。
【００３４】
カード用のカード接点投入装置の製造方法もまた提案され、前記方法は以下のステップを含む。
【００３５】
ａ）側縁を有する平型の接点担持部支持体であって、複数の保持手段、好ましくは接点担持部支持体の側面から延びる複数の保持手段を有する接点担持部支持体を提供するステップと、
ｂ）柔軟接点担持部であって、第一と第二の固定部分を有し、各々に接点担持部内の凹部が提供される柔軟接点担持部を提供するステップと、
ｃ）柔軟接点担持部を、その第一の固定部分のその凹部によって、接点担持部支持体の保持手段においてぶら下がった状態にするステップと、
ｄ）保持手段を折り曲げて、柔軟接点担持部を固定するステップと、
ｅ）柔軟接点担持部を接点担持部支持体の側縁の周囲で折り曲げて、前記側縁が接点担持部支持体の側面上に当接するようにするステップと、
ｆ）柔軟接点担持部を、その第二の固定部分のその凹部によって、保持手段から、または接点担持部支持体の別の保持手段からぶら下がった状態にするステップと、
ｇ）別の保持手段を折り曲げて、第二の固定部分を固定するステップ。
【００３６】
図１〜８を参照しながら本発明を以下により詳しく説明する。
【図面の簡単な説明】
【００３７】
【図１】本発明によるカード接点投入装置の第一の例示的実施形態の斜視図を示す。
【図２】図１の詳細部の斜視図を示す。
【図３】本発明によるカード接点投入装置の、保持手段柔軟接点担持部、図２と同様の詳細部の図を示す。
【図４】図１の本発明によるカード接点投入装置の、下から見た斜視図を示す。
【図５】プッシュ−プッシュ機構を有する本発明によるカード接点投入装置を示す。
【図６】図５によるカード接点投入装置の、下から見た斜視図を示す。
【図７】カバーを有する、図５と同様の図を示す。
【図８】本発明によるカード接点投入装置を製造するための方法ステップの３つを示す。
【発明を実施するための形態】
【００３８】
図１は、本発明によるカード接点投入装置１の第一の例示的実施形態の斜視図を示す。カード接点投入装置１は接点担持部２を含み、これは、ここで示されているように、従来のシートからスタンピング加工され、折り曲げられた部品として製造されている。本発明によれば、金属シートが用いられる。接点担持部支持体２は、保持手段４ａ、４ｂを有する。保持手段４ａは、図２と図３において明瞭に示されている。
【００３９】
図１はさらに、本発明によるカード接点投入装置１が柔軟接点担持部３を有することを示している。本発明の意味において、柔軟接点担持部とは、折り曲げ、整形し、再び曲げ戻すことのできる接点担持部３を意味する。したがって、いずれの場合も、柔軟接点担持部３が図１〜３に示されるように、カード接点投入装置１の側縁２０の周囲で折り曲げ可能である必要がある。柔軟接点担持部３は、ここでは、その表面上に６つの接触点３３を有する。接触点３３は、対応するカード１００の接点投入グリッドにしたがって配置される。接点担持部支持体２はさらに、右手側と左手側にカードストッパ５を有する。接点担持部支持体２はさらに、側縁２０と、側縁２０の反対に位置付けられた側縁２１（横方向に延びる側縁２０、２１）を有する。
【００４０】
接点担持部支持体２の、図１に示されている側面は側面２９と指定され、接点担持部支持体２の上面を表す。この側面２９の反対側にある下面は、図２と図３に示されるように、側面２８を構成する。保持手段４ａは側面２８に位置付けられ、その一方で保持手段４ｂは側面２９に設けられる。
【００４１】
図２に示されるように、保持手段４ａは接点担持部の凹部３０を通って突出し、ここでは仮組立位置にある。保持部分４１を、それによって保持手段４ａが接点担持部支持体２に固定される固定部分４０の周囲で折り曲げることによって、保持手段４ａが図３に示される位置に移動される。この場合、柔軟接点担持部３は保持部分４１の内面と接点担持部支持体２の側面２８の間に固定され、保持される。
【００４２】
図３に示されるように、有利には、右側と左側の保持手段４ａが提供され、それによって柔軟接点担持部３は、その凹部３０によって、凹部３０の一方の側縁と、凹部３０の反対側の側縁に当たって支持され、長手方向と横方向の移動が阻止される。さらに、保持手段４ａの側縁４２は、凹部３０のための横方向のストッパを形成し、それによって横方向、すなわち側縁２０に平行な移動が防止される。柔軟接点担持部３は、このようにして接点担持部支持体２にしっかりと固定される。
【００４３】
相互に離間され、相互に隣り合わせに配置された複数の保持手段４ａが、有利には、接点担持部支持体２の上に側縁２０から離して配置されることにより、柔軟接点担持部３の一端の固定部分３２が前記接点担持部支持体に固定される。
【００４４】
図３においてさらに明瞭に示されているように、保持部分４１の端は尖った先端を有するように設計され、これは有利な点として、柔軟接点担持部３の表面に食い込むことができる。
【００４５】
換言すれば、保持部分４１を適当な方法で折り曲げることにより、柔軟接点担持部３との噛み合い効果が得られ、保持部分４１の尖った先端が少なくとも部分的に柔軟接点担持部３に進入するが、これは、前記保持部分がその本組立位置にあり、側面２８または側面２９に実質的に平行に延びることを条件とする。
【００４６】
図４は、カード接点投入装置１の側面２８を下から見た斜視図を示す。固定部分３２、具体的には柔軟接点担持部３の一端にある固定部分３２は、横方向に延びる側縁２０の周囲で折り曲げられ、保持手段４ａに固定される。さらに、スプリングアーム２２が接点担持部支持体２上に形成される。スプリングアーム２２は、そのスプリングドーム２３によって、側面２９から少なくとも部分的に突出する。スプリングドーム２３は、カード１００の、それとの接触状態が確立されることになる接触領域の位置に対応するように配置される。
【００４７】
さらに、同様にスプリングドーム２３を有し、側面２９から、すなわち接点担持部２の表面からわずかに突出するスプリングアーム２４が設けられる。柔軟接点担持部３の切換え接点がここに配置され、前記切換え接点は、カード１００をカード接点投入装置１に挿入したときに、スプリングアーム２４のばね力による作用を受ける。
【００４８】
図５は、本発明によるプッシュ−プッシュ式カード接点投入装置１の例示的実施形態を示す。このカード接点投入装置１はプッシュ−プッシュ機構５０を有する。
【００４９】
プッシュ−プッシュ機構５０は、カード１００を挿入し、排出させる役割を果たし、カード１００を１回目に、特にその読取位置に押し込むことによってカードがカード接点投入装置１の中に挿入され、カード１００を２回目に押すことによって、カードがその読取位置からその排出位置へと移動される。プッシュ−プッシュ機構５０はしたがって、出入りするように移動可能な作動装置５１を有する。作動装置５１はさらに、制御バー５３を有する。ここで、制御バー５３は曲げられた２つのワイヤ端を有する長いワイヤとして示されている。さらに、接点担持部支持体２につまみ５４が設けられ、前記つまみは凹部を有し、そこに制御バー５３の一方の端が係合する。制御バー５３の他方の端は、いわゆるカージオイドカムを制御する役割を果たし、これも同様にプッシュ−プッシュ機構５０により提供される。
【００５０】
さらに、カードストッパ５２が作動装置５１の上に示され、前記カードストッパは少なくとも部分的に柔軟接点担持部３の上方に延び、作動装置５１が操作されると、少なくとも部分的に柔軟接点担持部３の上方で出入りする。
【００５１】
図６は、図５に沿った本発明によるカード接点投入装置１を下から示している。
【００５２】
この例示的実施形態においても、柔軟接点担持部３は、一端のその固定部分３２によって、横方向に延びる側縁の周囲で折り曲げられ、ここではその最終取付位置に、具体的にはその折り曲げ位置にすでにある保持手段４ａによって保持される。
【００５３】
第二の固定部分３７は２つの凹部３１を有し、図５に示されるように、そこに保持手段４ｂが通される。しかしながら、柔軟接点担持部３内に延びる導体トラック３４も図５に示されている。
【００５４】
図６からさらに明らかなように、接点担持部支持体２は同様に、スプリングドーム２３を有するスプリングアーム２２を有する。さらに、スプリングアーム２４が提供され、このスプリングアームは、スプリングアーム２２と同様に、接点担持部支持体２の表面から、すなわち側面２９から、そのスプリングドーム２３によって突出する。
【００５５】
この例示的実施形態において、接点担持部支持体２も同様に、金属シートからスタンピング加工されたグリッドとして製造される。スプリングアーム２２、２４を形成するための、必要なスプリング特性を提供する材料は、適当な金属材料である。接点担持部支持体２はさらに、複数の折り曲げ式カードストッパ５を含み、これはカバーラッチ手段を有する。
【００５６】
図７は、カード接点投入装置１の、図５のそれと同様の図を示し、さらに、カバー５５がカードストッパ５のカバーラッチ手段に接続され、引っ掛けられる。カバー５５は複数のカバースプリング５６を提供し、これはカード受容空間の中に突出する。カード１００をカード接点投入装置１に挿入するためのカード挿入スロット５７が側縁２０の上方に延びる。
【００５７】
図８は、側縁２０、２１、具体的には横方向に延びる側縁を有する平型の接点担持部支持体２の提供を上面図で示しており、この接点担持部支持体２は複数の保持手段４ａ、４ｂを有する。
【００５８】
同図はさらに、柔軟接点担持部３がどのように提供されるかを示しており、前記柔軟接点担持部は、第一の固定部分３２、具体的には一端の固定部分３２と、前記第一の固定部分から離れた第二の固定部分３７を有し、固定部分３２、３７の各々に凹部３０、３１が設けられている。
【００５９】
第一の組立ステップにおいて、柔軟接点担持部３が、その第一の凹部３０によって、または一端にあるその第一の固定部分３２の凹部３０によって保持手段４ａにおいて、ぶら下がった状態にされ、この場合、保持手段４ａは選択的に、予め折り曲げておくか、または接点担持部支持体２の側面２８から突出させて、図８の上の図に示される折り曲げ位置となるように折り曲げることができる。
【００６０】
他の方法ステップにおいて、柔軟接点担持部３が図８の左下の図に示されているように、側端２０の周囲で折り曲げられ、その凹部３１によって保持手段４ｂに通され、その固定部分３７へと取り回される。この場合、柔軟接点担持部３は側縁２０の周囲で折り曲げられ、柔軟接点担持部３が折り曲げられて、その側面が接点担持部支持体２の側面に載って支持される。この位置において、第二の保持手段４ｂは第二の固定部分３７の凹部３１を通って突出する。
【００６１】
他の方法ステップにおいて、保持手段４ｂが図８の右下の図に示されている位置へと折り曲げられる。このようにして製造されるカード接点投入装置１には、さらにカバー５５を設けることができ、これは好ましくは、接点担持部支持体２のカードストッパ手段５に固定されて、カード受容空間を形成する。
【００６２】
接触点３３だけは図８に示されていない。しかしながら、柔軟接点担持部３は対応する接触点３３を有する。
【００６３】
さらに、スプリングアーム２２は、他の方法ステップにおいて、接点担持部支持体２に、好ましくはスタンピングおよび曲げ加工によって形成できる。
【００６４】
さらに、スプリングアーム２２は好ましくは、スプリングドーム２３を形成することを伴って、スプリングアーム２２、２４の端を再形成することにより、スプリングドーム２３を有するように設計できる。
【符号の説明】
【００６５】
１  カード接点投入装置
２  接点担持部支持体
３  柔軟接点担持部
４ａ、４ｂ  保持手段
５  カードストッパ（カードストッパ手段）
２０、２１  端縁
２２  スプリングアーム
２３  スプリングドーム
２４  スプリングアーム
２８、２９  側面
３０  凹部（第一の凹部）
３１  凹部（第二の凹部）
３２  一端の固定部分
３３  接触点
３４  導体トラック
３５  接点投入部分
３７  固定部分（第二の固定部分）
３９  開口部
４０  固定部分
４１  保持部分
４２  側縁
５０  プッシュ−プッシュ機構
５１  作動装置
５２  カードストッパ
５３  制御バー
５４  つまみ
５５  カバー
５６  カバースプリング
５７  カード挿入スロット
１００  カード
Ｄ  ギャップ幅
【図１】
2015535109.tif 000003
【図２】
2015535109.tif 000004
【図３】
2015535109.tif 000005
【図４】
2015535109.tif 000006
【図５】
2015535109.tif 000007
【図６】
2015535109.tif 000008
【図７】
2015535109.tif 000009
【図８】
2015535109.tif 000010
【国際調査報告】
2015535109.tif 000011
2015535109.tif 000012
2015535109.tif 000013
2015535109.tif 000014